(57)【要約】【課題】  消費電力を抑えつつ、電話機のオフフックを適切に検知する仕組みを提供する。【解決手段】  オフフック検知機能を有し、電話機を制御するＳＬＩＣと、ＳＬＩＣに電力を供給する第１電源と、電話機のオフフックを検知するオフフック検知部と、オフフック検知部に電力を供給する第２電源と、通常電力モードから省電力モードに移行する際に、電話機とＳＬＩＣが接続された状態から、電話機とオフフック検知部が接続された状態に切り替え、オフフック検知部により省電力モードでの電話機のオフフックを検知するように制御するコントローラとを備える。【選択図】  図１
2015002550.tif 000002
【特許請求の範囲】
【請求項１】
オフフック検知機能を有し、電話機を制御する電話制御手段と、
前記電話制御手段に電力を供給する第１電源手段と、
前記電話機のオフフックを検知するオフフック検知手段と、
前記オフフック検知手段に電力を供給する第２電源手段と、
第１電力モードから当該第１電力モードよりも消費電力が小さい第２電力モードに移行する際に、前記電話機と前記電話制御手段が接続された状態から、前記電話機と前記オフフック検知手段が接続された状態に切り替え、前記オフフック検知手段が前記電話機のオフフックを検知するように制御する制御手段と、
を有することを特徴とする通信装置。
【請求項２】
前記制御手段は更に、前記第１の電力モードから前記第２の電力モードに移行する際に、前記第１電源手段による前記電話制御手段への電力供給を停止することを特徴とする請求項１に記載の通信装置。
【請求項３】
前記制御手段は更に、前記オフフック検知手段が前記電話機のオフフックを検知すると前記第１電源手段により前記電話制御手段への電力供給を再開するとともに、前記電話機と前記電話制御手段を接続することを特徴とする請求項１又は２に記載の通信装置。
【請求項４】
前記電話制御手段は、ＳＬＩＣ（Subscriber Line Interface Circuit）を含むことを特徴とする請求項１乃至３のいずれか１項に記載の通信装置。
【請求項５】
前記第１電源手段は、前記第２電源手段よりも容量の大きい電源であることを特徴とする請求項１乃至４のいずれか１項に記載の通信装置。
【請求項６】
前記オフフック検知手段は、前記電話制御手段よりも消費電力が小さいことを特徴とする請求項１乃至５のいずれか１項に記載の通信装置。
【請求項７】
前記電話機と前記電話制御手段が接続された状態と、前記電話機と前記オフフック検知手段が接続された状態を切り替える切替え手段を更に有し、
前記制御手段は、前記切替え手段を制御して前記電話機と前記電話制御手段と前記オフフック検知手段との接続を切り替えることを特徴とする請求項１乃至６のいずれか１項に記載の通信装置。
【請求項８】
オフフック検知機能を有し、電話機を制御する電話制御部に電力を供給する第１電源と、前記電話機のオフフックを検知するオフフック検知部に電力を供給する第２電源とを有する通信装置の制御方法であって、
第１電力モードから当該第１電力モードよりも消費電力が小さい第２電力モードに移行する際に、前記電話機と前記電話制御手段が接続された状態から、前記電話機と前記オフフック検知手段が接続された状態に切り替え、
前記電話機のオフフックを検知することを特徴とする通信装置の制御方法。
【請求項９】
前記電話機のオフフックを検知すると前記第１電源による前記電話制御部への電力供給を再開するとともに、前記電話機と前記電話制御部を接続することを特徴とする請求項８に記載の通信装置の制御方法。
【請求項１０】
コンピュータを、請求項１乃至７のいずれか１項に記載の通信装置として機能させるためのプログラム。
【発明の詳細な説明】
【技術分野】
【０００１】
本発明は、電話機を接続可能な通信装置とその制御方法、プログラムに関する。
【背景技術】
【０００２】
近年、ＩＰ（Internet Protocol）電話による音声通信やＩＴＵ−Ｔ勧告のＴ．３８によるＩＰ−ＦＡＸ通信による画像通信を行う次世代ネットワーク（ＮＧＮ：Next Generation Network）が普及している。ＮＧＮは、ネットワーク自体に帯域保証機能、セキュリティ機能を備え、電話サービス、映像通信サービス、データ通信サービス等を統合的に実現するＩＰネットワークである。
【０００３】
また、ＮＧＮ上の通信機器の間には、仮想的なセッションが確立され、セッションが成立している間はサービスを提供するＳＩＰ（Session Initiation Protocol）が普及し、利用されている。このＳＩＰによりセッションを確立した通信機器は、ＩＰやＶＯＩＰ（Voice Over IP）等のプロトコルを用いて、通話或いは画像通信を行い、又これらを同時に行う等の様々な形態のサービスが提供されている。
【０００４】
これら通信装置には様々な機能が備えられているが、例えば電話機能としては、ＩＰ電話、或いはＰＢＸ（Private Branch Exchange）に対応した電話機を外付け電話機として接続可能なものがある。ＰＢＸに対応した電話機を制御するには、例えばＳＬＩＣ（Subscriber Line Interface Circuit）が用いられる。
【０００５】
ＳＬＩＣには、通話音声信号のＤＡ／ＡＤ変換を行う機能や、電話機の着信ベルを鳴動させる呼出信号の生成を行う機能、電話機のオフフックを検知する機能などがある。一般的に電話機はいつでも使用可能な状態にあることが望ましいため、電話制御部（前述のＳＬＩＣ）には常時電力を供給し、動作可能状態としている必要がある。
【０００６】
一方、近年の通信装置には、省電力モードが設けられているものがある。通信装置が省電力モードに移行する際には、一部の構成への電力供給を停止することにより、通信装置全体の電力の消費を低減することが可能となる。
【０００７】
特許文献１には、電話機が接続されるファクリミリ装置において、省電力モードに移行した後は、サブ電源から供給される電力によってオフフック検知を行う構成が開示されている。
【先行技術文献】
【特許文献】
【０００８】
【特許文献１】特開２００９−１７１２８７号公報
【発明の概要】
【発明が解決しようとする課題】
【０００９】
ＩＰＦＡＸ機能を搭載した画像通信装置で、電話機を外付け電話機として接続可能な画像通信装置がある。接続された電話機の制御は、音声データの変換や呼出信号生成、オフフック検知などの機能を持つＳＬＩＣ（電話制御部）により実現される。電話機を常に使用可能な状態（常にオフフック検知可能な状態）にするためには、ＳＬＩＣに常に電力を供給しておく必要がある。しかしながら、ＳＬＩＣは多くの電力を消費するため、ＳＬＩＣに常に電力を供給すると消費電力が大きくなってしまう。
【００１０】
本発明の目的は、上記従来技術の問題点を解決することにある。即ち、消費電力を抑えつつ、電話機のオフフックを適切に検知する仕組みを提供することを目的とする。
【課題を解決するための手段】
【００１１】
上記目的を達成するために本発明の一態様に係る通信装置は以下のような構成を備える。即ち、
オフフック検知機能を有し、電話機を制御する電話制御手段と、
前記電話制御手段に電力を供給する第１電源手段と、
前記電話機のオフフックを検知するオフフック検知手段と、
前記オフフック検知手段に電力を供給する第２電源手段と、
第１電力モードから当該第１電力モードよりも消費電力が小さい第２電力モードに移行する際に、前記電話機と前記電話制御手段が接続された状態から、前記電話機と前記オフフック検知手段が接続された状態に切り替え、前記オフフック検知手段が前記電話機のオフフックを検知するように制御する制御手段と、を有することを特徴とする。
【発明の効果】
【００１２】
本発明によれば、消費電力を抑えつつ、電話機のオフフックを適切に検知できるという効果がある。
【図面の簡単な説明】
【００１３】
【図１】本発明の実施形態に係る画像通信装置の構成を示すブロック図。
【図２】本実施形態に係る画像通信装置のコントローラ２の構成を概略的に示すブロック図。
【図３】本発明の実施形態に係る画像通信装置による処理を説明するフローチャート。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
図１は、本発明の実施形態に係る画像通信装置１０１の構成を示すブロック図である。
【００１６】
コントローラ２は、画像通信装置１０１の全体の制御を行う制御部である。主な機能としては、データの送受信、画像の読取り、画像の印刷などの制御を行う。回線１１０は、イントラネット、又はインターネットなどのネットワークやＮＧＮ網に接続されている。ＳＬＩＣ（Subscriber Line Interface Circuit））８は、ＰＢＸに接続して使用可能な電話機をＩＰ回線に接続するために、電話機と回線のインターフェースの役目をする。このＳＬＩＣ８は、呼出信号の生成、直流電流の印加、オフフック検知機能等を有する。更にＳＬＩＣ８は、電話機１２を介した送話／受話信号のＡ／Ｄ、Ｄ／Ａ変換を行うＣＯＤＥＣ機能も備えている。更にＳＬＩＣ８は、コントローラ２とのＳＰＩインターフェース、ＰＣＭインターフェース機能も備えている。このＳＬＩＣ回路８は、呼出し信号や、電話機１２に送る直流電流を生成しているために消費電力が比較的大きいという特徴がある。
【００１７】
コントローラ２とブリッジ回路５は双方にＵＡＲＴを備え、コントローラ２は、データ線３、ブリッジ回路５、データ線６を介してＳＬＩＣ（電話制御部）８とデータをシリアル通信でやり取りする。またコントローラ２は同様に、データ線４、データ線７を介してシリアルでモデム９とシリアル通信でデータをやり取りする。ブリッジ回路５は、コントローラ２のＵＡＲＴとＳＬＩＣ８や、モデム９とのシリアルデータの送受信のタイミングを生成する調整回路として機能している。モデム９はＦＡＸ用のＧ３モデムで、ＶＯＩＰ＿Ｇ３通信時に使用される。
【００１８】
切替え回路１０は、電話機１２のオフフックの検知をＳＬＩＣ８で行うか、オフフック検知部１１で検知するかによって接続を切り替える回路である。第１電源１４は、通常電力モード（第１電力モード）での動作時に各部に電力を供給する大容量の電源で、通常電力モードよりも消費電力の小さい省電力モード（第２電力モード）時は、コントローラ２の制御によりその電力供給を停止している。一方、第２電源１３は、常時電力を供給する小容量の電源であって、省電力モード時にも電力を供給しており、高効率の電源で構成されている。ＤＣ−ＤＣコンバータ１５は、ＳＬＩＣ８で生成する電話機の呼出し信号や、電話機１２の回線ラインに供給する直流電圧を生成している。
【００１９】
次に、この画像通信装置１０１が省電力モードに移行した後の動作を以下に説明する。
【００２０】
省電力モード時は、ＳＬＩＣ８に供給している第１電源１４からの電力供給は停止される。このときコントローラ２は、切替え回路１０によって、電話機１２とオフフック検知部１１とを接続するように切り換える。更に、省電力モード時は、オフフック検知部１１への電力は第２電源１３から供給されている。このように制御することで、省電力モードでは、ＳＬＩＣ８への電力供給が停止されるので、省電力モード時の電話制御系の消費電力を小さくすることが可能になる。なお、ＳＬＩＣ８への電力供給の停止は、実質的にＳＬＩＣ８が動作しないようになることを意味し、微小な電力が供給され続けることを含む。また、ここでは省電力モードにおける電話機能はオフフック検知のみであるものとするが、それ以外の機能が省電力モードで動作するようにしても構わない。省電力モードでオフフック検知部１１が電話機１２のオフフックを検知するとＳＬＩＣ８を起動させ、切替え回路１０によって電話機１２とＳＬＩＣ８とを接続させて電話機１２の機能を働かせる。
【００２１】
省電力モード時に電力が供給されない回路は、例えば、図２のプリンタ制御部２０５、プリンタ２１４、スキャナ制御部２０５、スキャナ２０４、ＳＬＩＣ８などである。一方、スリープモード時でも動作が必要な回路は、例えば図２のＣＰＵ周辺回路、ＣＰＵ２０１，ＲＯＭ２０２，ＲＡＭ２０３，ＬＡＮＣ２１６、キー操作部２１１の一部や表示部２１２、切替え回路１０、オフフック検知部１１などである。
【００２２】
図２は、本実施形態に係る画像通信装置１０１のコントローラ２の構成を概略的に示すブロック図である。
【００２３】
同図において、ＣＰＵ２０１は、ＲＯＭ２０２に格納されたプログラムに従ってＣＰＵ２０１と接続された各部を制御するとともに、この画像通信装置１０１全体の制御を行う。またＣＰＵ２０１は、ＴＣＰ／ＩＰのプロトコル処理も行ない、画像データのＴＣＰ／ＩＰフレームへの組み立ては、このＣＰＵ２０１の制御により行われる。ＣＰＵ２０１は、また画像データの受信時に、符号化されている画像データを復号する。ＲＡＭ２０３は、ＣＰＵ２０１によるプログラム実行時のワークメモリとして使用されると共に、送受信する画像データのバッファリングにも使用される。Ｐ／Ｓ Device２０７はＵＡＲＴで、データのパラレル／シリアル変換を行うもので、ブリッジ回路５に接続される。またＣＯＤＥＣ２１０は、音声信号、又はみなし音声として送受信されるファクシミリ信号のためのＶｏＩＰ方式の符号化／復号化方式をサポートする。更に、Ｔ．３８インターネットファクシミリ信号（特にトーン信号）を送受信するために必要な符号化／復号化方式を少なくともサポートするものとする。
【００２４】
操作部はキー操作部２１１と表示部２１２を含み、キー操作部２１１は、主にダイヤル番号で使用するテンキーと、スタート、ストップキー、ファクシミリ送受信の操作ボタンなど表示器等を有し、ユーザからの操作指示を受付ける。又、表示部２１２は、各種情報の表示やユーザからの指示入力を行うのに使用される。スキャナ制御部２０５はスキャナ２０４を制御し、スキャナ２０４で原稿を読み取って得られた画像データをバス２１８に出力する。圧縮処理部２０６は、例えば、原稿を読み取って得られた画像データを圧縮するのに使用される。プリンタ制御部２１４は、電子写真方式、インクジェット方式など記録方式で印刷を行うプリンタ２１５を制御する。プリンタ制御部２１４は、受信した画像データや、他のインターフェースから入力した画像データを印刷用ラスタデータに変換してプリンタ２１４に出力する。ＨＤＤ２１７はハードディスクドライブであり、受信した画像データ、送信する画像データや印刷データの格納など、様々なデータの格納に使用される。ネットワークＩ／Ｆ制御部（ＬＡＮＣ）２１６はＬＡＮコントローラで、ネットワーク回線１１０を通じてデータの送受信を行なう。ＣＰＵ２０１は、送信するデータをネットワークＩ／Ｆ制御部２１６のＬＡＮコントローラに転送する。ＬＡＮＣ２１６は、ＭＡＣ（Media Access Control）フレームヘッダとＦＣＳ（Frame Check Sequence）などを送信データに付加してネットワーク回線１１０に送信する。
【００２５】
バス２１８は、ＣＰＵ２０１，ＲＡＭ２０３，ＲＯＭ２０２、スキャナ制御部２０５、圧縮処理部２０６、Ｐ／Ｓ Ｄｅｖｉｃｅ２０７，ＣＯＤＥＣ２１０、ＬＡＮＣ２１７等を接続している。そして、ＣＰＵ２０１からの制御信号や各制御部のデータ信号を伝送するシステムバスである。
【００２６】
図３は、本発明の実施形態に係る画像通信装置１０１による処理を説明するフローチャートである。このフローチャートで示される処理を実行するプログラムはＲＯＭ２０２に記憶されており、ＣＰＵ２０１が、このプログラムを実行することにより、このフローチャートで示す処理が実現される。ここでは、画像通信装置１０１が省電力モードの場合の電話制御部の動作と、通常電力モードの場合の電話制御部の動作を説明する。尚、電話制御部とは、ＳＬＩＣ（電話制御）８、切替え回路１０、オフフック検知部１１、第２電源１３、第１電源１４等を含む。尚、通常電力モードは第１電源１４による電力の供給がなされている状態である。
【００２７】
まずＳ３０１で、ＣＰＵ２０１は、画像通信装置１０１の電力モードが省電力モードかどうかを判定する。省電力モードでない、即ち、通常電力モードの場合はＳ３０３に進み、切替え回路１０により電話機１２とＳＬＩＣ８とを接続する。このとき、ＳＬＩＣ８には、第１電源１４から電力が供給されている。そしてＳ３０５で、電話機１２からＳＬＩＣ８を通じてダイヤルし、通話することが可能である。このとき、電話機１２のオフフックはＳＬＩＣ８が検知する。この状態では、待機中でも第１電源１４からＳＬＩＣ８に電力が供給されているので、ＳＬＩＣ８が常に動作状態となり消費電力が大きくなる。
【００２８】
一方、Ｓ３０１でＣＰＵ２０１が省電力モードであると判定するとＳ３０２に処理を進め、ＣＰＵ２０１は、切替え回路１０によって、電話機１２とＳＬＩＣ８との接続を切断し、電話機１２とオフフック検知部１１が接続されるように切り替える。このとき第１電源１４はオフされているので、第１電源１４からＳＬＩＣ８への電力供給は停止され、第２電源１３からからオフフック検知部１１へ電力が供給される。この第２電源１３は常にオンされており、省電力モードで電力供給の必要がある一部の回路にのみ電力を供給するための効率の高い電源である。こうして、省電力モード時に、電話機１２のオフフック検知をオフフック検知部１１で行うことにより、ＳＬＩＣ８でオフフックを検知する場合と比べて、消費電力を少なく抑えることができる。
【００２９】
次にＳ３０４に進み、ＣＰＵ２０１は、省電力モードでオフフックを検知したかどうかを判定する。Ｓ３０４でオフフックを検知したと判定するとＳ３０６に進み、ＣＰＵ２０１は、切替え回路１１により電話機１２とＳＬＩＣ８とを接続する。そしてＳ３０７に進み、ＣＰＵ２０１は、第１電源１４からＳＬＩＣ８への電力供給を再開するように第１電源１４をオンにして第１電源１４からの電力を、ＳＬＩＣ８やＤＣ−ＤＣコンバータ１５などに供給する。これによりＳＬＩＣ８が動作し、Ｓ３０８で、ＳＬＩＣ８の制御により、電話機１２によるダイヤル、通話が可能になる。そしてＳ３０９に進み、ＣＰＵ２０１は、電話機１２の操作状況を監視して、電話機１２でのオンフックをＳＬＩＣ８で検知したら通話終了と判断してＳ３０１に処理を進める。
【００３０】
以上説明したように本実施形態によれば、ＩＰＦＡＸ機能を搭載した画像通信装置に電話機を外付け電話機として接続する場合、その電話機のオフフック検知は、通常電力モードではＳＬＩＣ（電話制御部）が行う。一方、省電力モードでは、消費電力が小さい別のオフフック検知回路を用いて行う。こうすることにより、省電力モードでオフフックを検知するための消費電力を、ＳＬＩＣで検知する場合に比べて少なくすることができる。
【００３１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015002550.tif 000003
【図２】
2015002550.tif 000004
【図３】
2015002550.tif 000005